(57)【要約】【課題】、ブラックリスト情報が大きくなり続けることを防止して、ブラックリスト情報の参照に要する時間を短縮する。【解決手段】本発明のカード管理システム１は、紛失したり盗まれたりしたカード等を登録するものであって登録されているカードを使用できないようにするためのブラックリスト情報を備えたシステムにおいて、カードが正常に使用されたときに、そのカードに所定の有効期限を書き込むように構成したものである。この構成の場合、ブラックリスト情報に登録されているカードは、有効期限が更新されないため、有効期限を過ぎてしまい、使用できなくなる。従って、有効期限を過ぎたカードは、ブラックリスト情報から削除可能となる。【選択図】  図１
2004259121.tif 000002
【特許請求の範囲】
【請求項１】
紛失したり盗まれたりしたカード等を登録するものであって登録されているカードを使用できないようにするためのブラックリスト情報を備えたカード管理システムにおいて、
カードが正常に使用されたときに、そのカードに所定の有効期限を書き込む有効期限書き込み手段を備えたことを特徴とするカード管理システム。
【請求項２】
前記ブラックリスト情報に登録されているカードの登録されている期間が、そのカードの有効期限よりも長くなったときに、前記ブラックリスト情報から前記カードの登録情報を削除する登録情報削除手段を備えたことを特徴とする請求項１記載のカード管理システム。
【発明の詳細な説明】
【０００１】
【発明の属する技術分野】
本発明は、ＩＣカードや磁気カード等のカードで代金の支払いを実行することが可能なシステムに好適するカード管理システムに関する。
【０００２】
【従来の技術】
この種のカード管理システムにおいては、紛失したカードを使用できないようにするために、カードの紛失がわかった時点で、紛失したカードをブラックリスト情報に登録するようにしている。この構成の場合、ブラックリスト情報に登録されているカードは、カード取得者が使用しようとしても、カード処理端末においてブラックリスト情報を参照してチェックされるため、使用することができない。尚、このようなカード管理システムに関連する技術として、特許文献１が知られている。
【０００３】
【特許文献１】
特開平５−２１７０４４号公報
【０００４】
【発明が解決しようとする課題】
上記した従来構成のカード管理システムにおいては、紛失カードが発生するたびに、紛失カードの情報がブラックリスト情報に登録されて蓄積されていく。この場合、ブラックリスト情報は、紛失カードの情報が蓄積されるばかりであるから、膨大な量のデータとなってしまう。このため、カード処理端末において、ブラックリスト情報を参照する場合に、時間がかかってしまうという問題点が発生した。特に、カード処理端末が、カード管理センタからブラックリスト情報を取り込んだ（受信した）後、その取り込んだブラックリスト情報に基づいてカードの参照を実行するように構成されたものの場合、参照に時間がかなりかかってしまうことがあった。
【０００５】
本発明は上記事情に鑑みてなされたものであり、その目的は、ブラックリスト情報が大きくなり続けることを防止して、ブラックリスト情報の参照に要する時間を短縮することができるカード管理システムを提供するにある。
【０００６】
【課題を解決するための手段】
請求項１の発明によれば、カードが正常に使用されたときに、そのカードに所定の有効期限を書き込む構成としたので、ブラックリスト情報に登録されているカードは、正常に使用されることがないから、有効期限が更新されない。このため、ブラックリスト情報に登録されているカードは、やがて有効期限を過ぎてしまい、それ以降は自動的に使用できなくなる。従って、有効期限を過ぎたカードは、ブラックリスト情報から削除しても何ら問題がない。これにより、ブラックリスト情報から有効期限を過ぎたカードの情報を削除することが可能となるから、ブラックリスト情報が大きくなり続けることを防止できる。
【０００７】
請求項２の発明によれば、ブラックリスト情報に登録されているカードの登録されている期間が、そのカードの有効期限よりも長くなったときに、前記ブラックリスト情報から前記カードの登録情報を削除する登録情報削除手段を備えるように構成したので、ブラックリスト情報が大きくなり続けることを自動的に防止できる。
【０００８】
【発明の実施の形態】
以下、本発明の一実施例について、図面を参照しながら説明する。まず、図１は、本実施例のカード管理システム１の全体構成を概略的に示すブロック図である。この図１に示すように、カード管理システム１は、発行サーバ２と、カード利用システム管理サーバ３と、複数のカード処理端末４とを備えて構成されている。これらサーバ２、３、カード処理端末４は、ＬＡＮや公衆電話網やインターネット等からなる通信網５によって通信可能なように接続されている。
【０００９】
発行サーバ２は、発行されたカードの種々の情報が登録されているカード登録情報と、紛失したり盗まれたりしたカード等の情報が登録されているブラックリスト情報とを備えている。カード利用システム管理サーバ３は、カード利用システム全般の管理を実行する機能の他に、発行サーバ２からブラックリスト情報のデータを受信すると共に、このブラックリスト情報をカード処理端末４に転送する機能を有している。
【００１０】
カード処理端末４は、例えば非接触式のＩＣカードからなるカード６と通信可能に構成されており、上記カード６内のデータを読み出すと共に、上記カード６内にデータを書き込むことが可能なように構成されている。尚、カード６は、接触式のＩＣカードでも良いし、また、磁気カード等でも良く、そのようなカードを使用するときには、そのカードをリードライト可能な構成のカード処理端末を使用すれば良い。
【００１１】
次に、上記構成のカード管理システム１、即ち、発行サーバ２、カード利用システム管理サーバ３及びカード処理端末４の動作について、図２のフローチャートも参照して説明する。まず、発行サーバ２においては、カードの使用者からカード紛失届けが出されると（ステップＳ１０）、その紛失カードの情報をブラックリスト情報に登録する（ステップＳ２１）。このとき、紛失カードの登録日時も、ブラックリスト情報に書き込むように構成されている。
【００１２】
続いて、ステップＳ２２へ進み、ブラックリスト情報の配信データを作成する処理を実行する。そして、ステップＳ２３へ進み、ブラックリスト情報の配信データをカード利用システム管理サーバ３へ配信する処理を実行する。尚、ステップＳ２４より以降の処理については、後で説明する。
【００１３】
上記ブラックリスト情報の配信処理に対して、カード利用システム管理サーバ３においては、ステップＳ３１へ進み、ブラックリスト情報の配信データを受信する。続いて、ステップＳ３２へ進み、ブラックリスト情報の配信データを各カード処理端末４へ転送する処理を実行する。
【００１４】
このブラックリスト情報の配信データの転送処理に対して、カード処理端末４においては、ステップＳ４１へ進み、ブラックリスト情報の配信データを受信すると共に、この受信データを記憶（保持）するように構成されている。そして、ステップＳ４２へ進み、カード６のデータの読込処理を実行する。
【００１５】
続いて、ステップＳ４３へ進み、上記読み込んだデータの中の有効期限がＯＫであるか否か、即ち、有効期限が過ぎていないか否かを判断する。ここで、有効期限が過ぎていない（有効期限がＯＫである）場合は、「ＹＥＳ」へ進み、ステップＳ４４へ進み、記憶しているブラックリスト情報を参照することにより、上記読み込んだカード６が紛失カード（ブラックリスト登録カード）であるか否かを判断する。
【００１６】
ここで、紛失カードであると判断された場合には、「ＹＥＳ」へ進み、そのカードを使用できないようにし、カードの有効期限については何もしない（ステップＳ４６）。従って、上記カードの有効期限は、最後に正常に使用されたときに書き込まれた有効期限のままとなる。尚、この場合、使用不可のメッセージ等を表示するように構成することが好ましい。この後は、ステップＳ４１へ戻り、次のカードの読込処理を実行するようになっている。尚、ステップＳ４１へ戻った後、ブラックリスト情報の配信データの転送処理が新たに実行されたときは、そのデータを受信して保持するように構成されている。
【００１７】
また、上記ステップＳ４４において、紛失カードでないと判断された場合には、「ＮＯ」へ進み、そのカードを使用可とする（ステップＳ４７）。そして、ステップＳ４８へ進み、上記使用可となったカードに所定の有効期限（例えば１年間として、使用した日付（本日）から１年後の日付）を書き込む。これにより、上記カードは、本日から１年間が有効期限となる。この場合、カード処理端末４には、有効期限書き込み手段としての機能が備わっている。そして、上記カードに対して、所要のカード処理（データを書き込んだり、データを更新したりする処理等）を実行するように構成されている。尚、この後は、ステップＳ４１へ戻り、次のカードの読込処理を実行するようになっている。
【００１８】
一方、上記ステップＳ４３において、有効期限が過ぎている（有効期限がＯＫでない）場合には、「ＮＯ」へ進み、そのカードを使用できないようにし、カードの有効期限については何もしない（ステップＳ４５）。従って、このカードの有効期限は、最後に正常に使用されたときに書き込まれた有効期限のままとなる。尚、この場合、使用不可のメッセージ等を表示するように構成することが好ましい。この後は、ステップＳ４１へ戻り、次のカードの読込処理等を実行するように構成されている。
【００１９】
さて、発行サーバ２において、前述したようにして、ブラックリスト情報の配信データを配送する処理（ステップＳ２３）を実行した後は、ステップＳ２４へ進み、ブラックリスト情報に登録されている各カード（ブラックリスト該当カード）の登録日数が所定の保持期限を過ぎているか否かを判断する。この場合、ブラックリスト情報にカードが登録された日時（登録日時）からの経過日数が保持期限を過ぎたか否かを判断するように構成されている。
【００２０】
ここで、上記保持期限は、前述したカードの有効期限よりも長い期間であり、例えば、有効期限が１年に設定されている場合、保持期限は１年１ヶ月に設定することが好ましい。
【００２１】
さて、上記ステップＳ２４において、ブラックリスト情報にカードが登録された日時からの経過日数が保持期限を過ぎている場合、「ＹＥＳ」へ進み、ステップＳ２５へ進み、上記保持期限を過ぎたカードの登録情報をブラックリスト情報から削除する。続いて、ステップＳ２６へ進み、ブラックリスト情報の中のすべてのカードについて、上記保持期限のチェックを実行したか否かを判断する。
【００２２】
このステップＳ２６において、すべての登録カードについて上記保持期限のチェックが済んでいない場合には、「ＮＯ」へ進み、ステップＳ２４へ戻って上記保持期限のチェックを繰り返すように構成されている。一方、すべての登録カードについて上記保持期限のチェックが済んだ場合には、「ＹＥＳ」へ進み、前記ステップＳ２１へ戻るように構成されている。
【００２３】
尚、上記ステップＳ２４において、ブラックリスト情報にカードが登録された日時からの経過日数が保持期限を過ぎていない場合、「ＮＯ」へ進み、ステップＳ２６へ進む。即ち、上記保持期限を過ぎていないカードの登録情報は、ブラックリスト情報から削除されることはない。
【００２４】
このような構成の本実施例によれば、カード処理端末４において、カード６が正常に使用されたときに、そのカード６に所定の有効期限を書き込むように構成したので、カードが正常に使用されている限り、カードの有効期限は更新されていくことから、正常なカード（ブラックリスト情報に登録されていないカード）は、問題なく使用することができる。
【００２５】
これに対して、ブラックリスト情報に登録されているカードは、使用不可となり（ステップＳ４６）、正常に使用されることがないから、有効期限が更新されない。このため、ブラックリスト情報に登録されているカードは、やがて有効期限を過ぎてしまうことから、それ以降は自動的に使用不可となる（ステップＳ４５）。従って、有効期限を過ぎたカードは、ブラックリスト情報から削除しても何ら問題がなくなる。これにより、ブラックリスト情報から有効期限を過ぎたカードの情報を削除することが可能となるから、ブラックリスト情報が大きくなり続けることを防止できる。この結果、カード処理端末４において、ブラックリスト情報の参照に要する時間を短縮することができる。
【００２６】
また、上記実施例によれば、発行サーバ２からカード利用システム管理サーバ３へブラックリスト情報の配信データを配信するのに要する時間も短縮できる。更に、カード利用システム管理サーバ３からカード処理端末４へブラックリスト情報の配信データを転送するのに要する時間も短縮することができる。
【００２７】
更にまた、上記実施例においては、ブラックリスト情報にカードが登録された日時からの経過日数が保持期限を過ぎている場合に、即ち、ブラックリスト情報に登録されているカードの登録されている期間が、そのカードの有効期限よりも長くなったときに、前記ブラックリスト情報から前記カードの登録情報を削除するように構成した。この構成によれば、ブラックリスト情報を自動的に小さくすることが可能となり、ブラックリスト情報が大きくなり続けることを自動的に防止できる。
【００２８】
尚、上記実施例の場合、使用者がカードを長い期間（有効期限よりも長い期間）使用しなかった場合、カードの有効期限が過ぎてしまうことが考えられる。このような場合、ブラックリスト情報に登録されていないカードであっても、そのカードを使用することができなくなるので、何らかの救済措置を行うことが好ましい。例えば、予め決められた手順（カードの所持者が所定の用紙に所定事項を記入してカード管理者に提出する）を実行することによって、カードの有効期限を書き込むことが可能なように構成すれば良い。これにより、カードを再び使用することが可能になる。
【００２９】
尚、本発明のカード管理システムは、ＩＣカードや磁気カード等のカードを使用するシステム、例えばクレジットカードのシステムや電子マネーのシステム等に適用することができる。
【図面の簡単な説明】
【図１】カード管理システムのブロック図
【図２】フローチャート
【符号の説明】
１はカード管理システム、２は発行サーバ（登録情報削除手段）、３はカード利用システム管理サーバ、４はカード処理端末（有効期限書き込み手段）、５は通信網、６はカードを示す。
【図１】
2004259121.tif 000003
【図２】
2004259121.tif 000004